(57)【要約】【課題】オプションとして装着されるテンキー装置の操作性の低下が抑制された画像形成装置を提供する。【解決手段】画像形成装置Ａにおいて、装置本体３に設けられたタッチパネル方式の操作部１１であって、数値入力をするためのソフトキーが表示可能であり、かつ数値入力をするためのハードキーを備えていない操作部１１と、操作部１１とは別体であり、操作部１１の右側に隣接して設けられ、数値入力をするためのハードキーを備えるテンキー装置１０１と、操作部１１およびテンキー装置１０１とは別体であり、テンキー装置１０１の右側に隣接して設けられ、ＩＣカードからユーザ情報を受け付けるＩＣカードリーダ６１と、装置本体３に取り付けられ、テンキー装置１０１とＩＣカードリーダ６１を一体的に保持する収容部材１５３と、を備える。【選択図】図１２
2020124846.tif 000002
【特許請求の範囲】
【請求項１】
画像形成装置の装置本体に設けられたタッチパネル方式の操作部であって、数値入力をするためのソフトキーが表示可能であり、かつ数値入力をするためのハードキーを備えていない操作部と、
前記操作部とは別体であり、前記操作部の右側に隣接して設けられ、数値入力をするためのハードキーを備える入力装置と、
前記操作部および前記入力装置とは別体であり、前記入力装置の右側に隣接して設けられ、ＩＣカードからユーザ情報を受け付けるＩＣカードリーダと、
前記装置本体に取り付けられ、前記入力装置と前記ＩＣカードリーダを一体的に保持する保持部材と、
を備えることを特徴とする画像形成装置。
【請求項２】
前記保持部材は、前記ＩＣカードリーダの少なくとも一部が前記装置本体の右側壁よりも右側に突出するように、前記入力装置と前記ＩＣカードリーダを一体的に保持することを特徴とする請求項１に記載の画像形成装置。
【請求項３】
前記ＩＣカードリーダは、前記入力装置を介して、前記装置本体に電気的に接続されていることを特徴とする請求項１又は２に記載の画像形成装置。
【請求項４】
前記保持部材において、前記入力装置を保持する第１保持部と、前記ＩＣカードリーダを保持する第２保持部は、一体成形されていることを特徴とする請求項１乃至３のいずれか１項に記載の画像形成装置。
【請求項５】
前記保持部材において、前記入力装置を保持する第１保持部と、前記ＩＣカードリーダを保持する第２保持部は、ビスで固定されていることを特徴とする請求項１乃至３のいずれか１項に記載の画像形成装置。
【請求項６】
前記保持部材は、前記第２保持部から凹んだ凹部を有し、
前記凹部には、前記ＩＣカードリーダと前記装置本体との電気的な接続を行うためのケーブル、及び、前記入力装置と前記装置本体との電気的な接続を行うケーブルが収容されることを特徴とする請求項４又は５に記載の画像形成装置。
【請求項７】
画像形成装置の装置本体に設けられたタッチパネル方式の操作部であって、数値入力をするためのソフトキーが表示可能であり、かつ数値入力をするためのハードキーを備えていない操作部と、
前記装置本体に対して着脱可能であり、前記操作部とは別体の入力装置であって、前記操作部の右側に隣接して設けられ、数値入力をするためのハードキーを備える入力装置と、
前記装置本体に対して着脱可能であり、前記操作部および前記入力装置とは別体であり、前記入力装置の右側に隣接して設けられ、ＩＣカードから情報を受け付けるＩＣカードリーダと、
を備えることを特徴とする画像形成装置。
【請求項８】
前記装置本体に取り付けられ、前記入力装置と前記ＩＣカードリーダを一体的に保持する保持部材を備えることを特徴とする請求項７に記載の画像形成装置。
【請求項９】
前記保持部材は、前記ＩＣカードリーダの少なくとも一部が前記装置本体の右側壁よりも右側に突出するように、前記入力装置と前記ＩＣカードリーダを一体的に保持することを特徴とする請求項８に記載の画像形成装置。
【請求項１０】
前記保持部材において、前記入力装置を保持する第１保持部と、前記ＩＣカードリーダを保持する第２保持部は、一体成形されていることを特徴とする請求項８又は９に記載の画像形成装置。
【請求項１１】
前記保持部材において、前記入力装置を保持する第１保持部と、前記ＩＣカードリーダを保持する第２保持部は、ビスで固定されていることを特徴とする請求項８又は９に記載の画像形成装置。
【請求項１２】
前記保持部材は、前記第２保持部から凹んだ凹部を有し、
前記凹部には、前記ＩＣカードリーダと前記装置本体との電気的な接続を行うためのケーブル、及び、前記入力装置と前記装置本体との電気的な接続を行うケーブルが収容されることを特徴とする請求項１０又は１１に記載の画像形成装置。
【請求項１３】
前記ＩＣカードリーダは、前記入力装置を介して、前記装置本体に電気的に接続されていることを特徴とする請求項７乃至１２のいずれか１項に記載の画像形成装置。
【発明の詳細な説明】
【技術分野】
【０００１】
本発明は、電子写真複写機、電子写真プリンタ（例えばレーザビームプリンタ、ＬＥＤプリンタ等）などの画像形成装置に関する。
【背景技術】
【０００２】
画像形成装置においては、ユーザのＩＣカード情報を読み取り、個人を認証するためのＩＣカードリーダを備える構成が知られている。また特許文献１では、情報を表示すると共に画像形成に関する設定を行う操作部の横にハードキーとしてのテンキーを配置し、テンキーの横に隣接してＩＣカードリーダを配置する構成が記載されている。テンキーに入力された情報は、操作部に表示され、ユーザはテンキーによって数値情報を入力しながら操作部を操作して画像形成に関する設定を行う。
【先行技術文献】
【特許文献】
【０００３】
【特許文献１】特開２０１１−１５４０７５号公報
【発明の概要】
【発明が解決しようとする課題】
【０００４】
近年、広く普及しているスマートフォンなどのモバイル機器と同様に、画像形成装置にもタッチパネル方式の操作部を搭載するものが普及し始めている。タッチパネル方式の操作部においては、その操作画面上に数値を入力するためのキーが表示され、そのキーをタッチすることで数値の入力を行うことができる。このようにタッチパネル方式の操作部を搭載する画像形成装置では、表示画面上でキーを表示させることができるため、従来型のハードキーとしてのテンキーが備えられていない。
【０００５】
しかしながら、タッチパネルの操作に不慣れなユーザやハードキーの操作感を好むユーザも存在する。このようなユーザからは、ハードキーとしてのテンキーが設けられていないタッチパネル方式の操作部に加えて、従来型のハードキーとしてのテンキーを備えるテンキー装置（入力装置）をオプションとして増設する要望がある。その要望に応えるために、メーカーはオプションとしてテンキー装置をユーザに提供する。これに対して特許文献１に記載の構成のように、操作部の右側に隣接してＩＣカードリーダを配置すると、テンキー装置を増設する際に次の課題が生じ得る。
【０００６】
即ち、ユーザの操作性の観点からタッチパネル方式の操作部の右側に隣接してテンキー装置を配置するのが好ましい。しかし特許文件１に記載の構成では、操作部の右側にＩＣカードリーダが隣接して配置されているため、テンキー装置はＩＣカードリーダのさらに右側に必然的に配置されることになる。この場合、タッチパネル方式の操作部とテンキー装置との距離が遠くなり、ユーザはテンキー装置による入力がし難くなる。
【０００７】
そこで本発明はこのような現状に鑑み、オプションとして装着されるテンキー装置の操作性の低下が抑制された画像形成装置を提供することを目的とする。
【課題を解決するための手段】
【０００８】
上記目的を達成するための本発明に係る画像形成装置の代表的な構成は、画像形成装置の装置本体に設けられたタッチパネル方式の操作部であって、数値入力をするためのソフトキーが表示可能であり、かつ数値入力をするためのハードキーを備えていない操作部と、前記操作部とは別体であり、前記操作部の右側に隣接して設けられ、数値入力をするためのハードキーを備える入力装置と、前記操作部および前記入力装置とは別体であり、前記入力装置の右側に隣接して設けられ、ＩＣカードからユーザ情報を受け付けるＩＣカードリーダと、前記装置本体に取り付けられ、前記入力装置と前記ＩＣカードリーダを一体的に保持する保持部材と、を備えることを特徴とする。
【発明の効果】
【０００９】
本発明によれば、画像形成装置において、オプションとして装着されるテンキーの操作性の低下を抑制することができる。
【図面の簡単な説明】
【００１０】
【図１】画像形成装置の斜視図である。
【図２】画像形成装置の斜視図である。
【図３】画像形成装置の斜視図である。
【図４】画像形成装置の断面概略図である。
【図５】画像形成装置のシステム構成を示すブロック図である。
【図６】ＩＣカードリーダの周囲の拡大斜視図である。
【図７】ＩＣカードリーダの周囲の分解斜視図である。
【図８】テンキー装置の周囲の分解斜視図である。
【図９】カバー部材とテンキー下カバーの分解斜視図である。
【図１０】テンキー装置と固定部材の分解斜視図である。
【図１１】カバー部材と収容部材の分解斜視図である。
【図１２】収容部材とＩＣカードリーダ及びテンキー装置の分解斜視図である。
【図１３】ＩＣカードリーダとテンキー装置のシステム構成を示すブロック図である。
【図１４】テンキー装置のハードキーの配置を示す模式図である。
【発明を実施するための形態】
【００１１】
（第１実施形態）
＜画像形成装置＞
以下、まず本発明の第１実施形態に係る画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１２】
本実施形態に係る画像形成装置Ａは、イエローＹ、マゼンダＭ、シアンＣ、ブラックＫの４色のトナーを中間転写ベルトに転写した後、シートに画像を転写して画像を形成する中間タンデム方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１３】
図１、図２、図３は、画像形成装置Ａの斜視図である。図１〜図３に示す様に、画像形成装置Ａは、タッチパネル方式の操作部１１の横に、ユーザの要望に応じて、テンキー装置１０１やＩＣカードリーダ６１を増設可能に構成されている。すなわち、テンキー装置１０１（入力装置）およびＩＣカードリーダ６１は、画像形成装置Ａの装置本体３および操作部１１とは別体であり、画像形成装置Ａの装置本体３に対して任意に着脱可能なオプション装置である。ここで図１は、ＩＣカードリーダ６１が増設された状態の図である。図２は、テンキー装置１０１が増設された状態の図である。図３は、ＩＣカードリーダ６１とテンキー装置１０１が増設された状態の図である。なお、テンキー装置１０１およびＩＣカードリーダ６１の両方を増設する場合、テンキー装置１０１およびＩＣカードリーダ６１が装置本体３の右側面よりも突出しないように、操作部１１、テンキー装置１０１、およびＩＣカードリーダ６１を隣接配置しても良い。
【００１４】
操作部１１は、画像形成装置Ａの装置本体３に回動可能に支持されており、表示部１１ａが上向きになるように配置される。操作部１１の表示部１１ａには各種の情報が表示される。また表示部１１ａには、数値を入力するためのソフトキーとしてのテンキーが表示可能になっている。ユーザは、ソフトキーの表示部分に指を接触、あるいはソフトキーの表示部分近傍に指を近づけることで数値情報を装置に入力することができる。このようにユーザが操作部１１を操作して数値の入力などを行うことで、シートＳの種類、画像の出力サイズ、画像形成枚数の設定等、画像形成に関する設定を行うことができる。操作部１１にはハードキーとしてのテンキーは設けられていない。
【００１５】
テンキー装置１０１は、画像形成装置Ａの装置本体３の前面（正面）から見て、操作部１１の右側に配置される。ここで画像形成装置Ａの前面（正面）とは、ユーザが操作部１１を操作する際にユーザが立つ側の面である。すなわち、画像形成装置Ａの四方において、操作部１１は画像読取装置６に隣接して配置されており、操作部１１が配置された側が画像形成装置の前面側である。本実施例における四方は図１におけるＸ方向、Ｙ方向である。画像形成装置Ａの四方において、前面側に立てばユーザは操作部１１を最も操作しやすい。図１０に示す様に、テンキー装置１０１は、数値や記号類を設定する数値キー１０２、画像形成装置Ａを稼動させるスタートキー１０３、停止させるストップキー１０４をハードキーとして有する。また入力情報をリセットするリセットキー１０５、その他の機能を設定するファンクションキー１０６をハードキーとして有する。これらの各種キーへの入力情報は、キー制御部９０（図１３）により処理され、装置本体３の制御部７０（図５）に入力される。また制御部７０は、テンキー装置１０１の入力情報を操作部１１の表示部１１ａに表示させる。なお、テンキー装置１０１は少なくとも数値キー１０２をハードキーとして有していればよい。
【００１６】
タッチパネルの操作に不慣れなユーザやハードキーの操作感を好むユーザも存在する。このようなユーザからは、ハードキーとしてのテンキーが設けられていないタッチパネル方式の操作部１１に加えて、従来型のハードキーとしてのテンキーを備えるテンキー装置１０１をオプションとして増設する要望がある。その要望に応えるために、メーカーはオプションとしてテンキー装置１０１をユーザに提供する。
【００１７】
テンキー装置１０１の用途の一例としては、画像形成の部数やファクシミリの宛先番号等の数値の入力が挙げられる。そのため、テンキー装置１０１のテンキーの配列は電話機の数値配列に準ずる。すなわち、図１４に示すように、０から９の１０個のハードキーに関して、１、２、３のハードキーの行が最も奥に配置され、１、２、３の行よりも手前側に４、５、６のハードキーの行が配置され、４、５、６よりも手前側に７、８、９のハードキーの行が配置されている。そして、０のハードキーは７、８、９よりも手前側に配置されている。また、横方向で見たときに、左から１、４、７のハードキーの列、２、５、８、０のハードキーの列、３、６、９のハードキーの列の順に配列されている。なお、０のハードキーは、１、４、７のハードキーの列、あるいは、３、６、９のハードキーの列に含めても良い。
【００１８】
テンキー装置１０１が増設されない画像形成装置Ａにおいて、ＩＣカードリーダ６１は、画像形成装置Ａの装置本体３の前面から見て、操作部１１の右側に操作部１１に隣接して配置される。テンキー装置１０１が増設された画像形成装置Ａにおいて、ＩＣカードリーダ６１は、画像形成装置Ａの装置本体３の前面から見て、テンキー装置１０１の右側にテンキー装置１０１に隣接して配置される。そして、テンキー装置１０１はＩＣカードリーダ６１の右側にＩＣカードリーダ６１に隣接して配置される。この場合、ＩＣカードリーダ６１は、ＩＣカードリーダ６１の少なくとも一部が装置本体３の右側面（右側壁）よりも突出するように装置本体３に設けられる。ここで、装置本体３の右側面とは図４に示す右側の面である。図４における画像形成装置Ａに対してさらに右側にオプションとして給紙装置が配置されることがあるが、その給紙装置は画像形成装置Ａの装置本体３に含まれない。ＩＣカードリーダ６１は、ユーザのＩＣカードの情報を電磁気的に読み取る装置である。ＩＣカードリーダ６１に読み取られたＩＣカード情報は、ＩＣカードリーダ制御部９３（図１３）によって個人認証のための処理に用いられる。つまりＩＣカードリーダ６１は、ＩＣカードからユーザ情報を受け付ける装置である。なお、ＩＣカードリーダ６１とテンキー装置１０１の取り付け構成については後述する。
【００１９】
図４は、画像形成装置Ａの断面概略図である。図４に示す様に、画像形成装置Ａは、シートにトナー像を転写して画像を形成する画像形成部９６と、画像形成部に向けてシートを供給するシート給送部９５と、シートにトナー像を定着させる定着部としての定着装置１４を備える。
【００２０】
画像形成部９６は、感光ドラム８１（８１Ｙ、８１Ｍ、８１Ｃ、８１Ｋ）、帯電ローラ８２（８２Ｙ、８２Ｍ、８２Ｃ、８２Ｋ）、現像装置８３（８３Ｙ、８３Ｍ、８３Ｃ、８３Ｋ）を備える。また一次転写ローラ８５（８５Ｙ、８５Ｍ、８５Ｃ、８５Ｋ）、レーザスキャナユニット１３、中間転写ベルト１２、二次転写ローラ１６、二次転写対向ローラ１７、駆動ローラ１８などを備える。
【００２１】
また画像形成装置Ａの上部には、原稿の画像を読み取る画像読取装置６が設けられている。画像読取装置６は、フラットベッドスキャナ９とＡＦＤ７から構成される。フラットベッドスキャナ９は、ガラス板で形成された読取面９ａに載置された原稿の画像を光学的に読み取って画像データに変換する。ＡＤＦ７は、原稿トレイ８に積載された原稿を自動的に搬送して画像を読み取る。ＡＤＦ７は、回動自在に支持されており、ＡＤＦ７を回動させて上方に開放することでフラットベッドスキャナ９の読取面９ａにアクセス可能となる。なお、読取面９ａに原稿をセットする際にアクセス性を妨げないため、操作部１１の最上部は読取面９ａよりも低い位置に配置される。
【００２２】
＜画像形成動作＞
次に、画像形成装置Ａによる画像形成動作について説明する。
【００２３】
まず図５に示す制御部７０に画像形成ジョブ信号が入力されると、給送ローラ８８によってシートカセット２に積載収納されたシートＳがレジストローラ８９に送り出される。次にシートＳは、レジストローラ８９によって所定のタイミングで二次転写ローラ１６と二次転写対向ローラ１７から形成される二次転写部に送り込まれる。
【００２４】
一方、画像形成部においては、まず帯電ローラ８２Ｙにより感光ドラム８１Ｙ表面が帯電させられる。その後、不図示の外部機器等から送信された画像信号に応じてレーザスキャナユニット１３が感光ドラム８１Ｙ表面にレーザ光を照射し、感光ドラム８１Ｙ表面に静電潜像を形成する。
【００２５】
その後、現像装置８３Ｙにより感光ドラム８１Ｙの表面に形成された静電潜像にイエローのトナーを付着させ、感光ドラム８１Ｙ表面にイエローのトナー像を形成する。感光ドラム８１Ｙ表面に形成されたトナー像は、一次転写ローラ８５Ｙに一次転写バイアスが印加されることで、中間転写ベルト１２に一次転写される。
【００２６】
同様のプロセスにより、感光ドラム８１Ｍ、８１Ｃ、８１Ｋにも、マゼンダ、シアン、ブラックのトナー像が形成される。そして一次転写ローラ８５Ｍ、８５Ｃ、８５Ｋに一次転写バイアスが印加されることで、これらのトナー像が中間転写ベルト１２上のイエローのトナー像に対して重畳的に転写される。これにより中間転写ベルト１２表面にフルカラーのトナー像が形成される。
【００２７】
その後、中間転写ベルト１２が駆動ローラ１８から駆動力を伝達されて周回移動することで、フルカラーのトナー像が二次転写部に送られる。そして二次転写部において二次転写ローラ１６に二次転写バイアスが印加されることで、中間転写ベルト１２上のフルカラーのトナー像がシートＳに転写される。
【００２８】
次に、トナー像が転写されたシートＳは、定着装置１４において加熱、加圧処理が施され、これによりシートＳ上のトナー像がシートＳに定着される。その後、トナー像が定着されたシートＳは、縦パス部４を通って排出ローラ１５に搬送され、排出ローラ１５によって排出部５に排出される。なお、縦パス部４には、シートＳを検出するセンサ（不図示）や送風を行うファン（不図示）が設けられている。また縦パス部４は外装カバーである縦パスカバー１０により覆われている。
【００２９】
＜制御部＞
次に、画像形成装置Ａのシステム構成の概要について説明する。
【００３０】
図５は、画像形成装置Ａのシステム構成の一部を示すブロック図である。図５に示す様に、画像形成装置Ａは、ＣＰＵ７１、ＲＯＭ７２、ＲＡＭ７３、ＨＤＤ７４を有する制御部７０を備える。これらの部材は、いずれもシステムバス７７に接続されている。
【００３１】
ＲＯＭ７２、ＨＤＤ７４は、制御プログラムやテーブル等の各種データを記憶する。ＣＰＵ７１は、ＲＯＭ７２、ＨＤＤ７４に格納された制御プログラムや情報に基づいて各種の演算処理を行う。ＲＡＭ７３は、データを一時的に記憶する。
【００３２】
つまり制御部７０は、ＣＰＵ７１が、ＲＯＭ７２、ＨＤＤ７４に格納された制御プログラムに基づいてＲＡＭ７３を作業領域に用いながら、デバイス出入力回路（Ｉ／Ｆ）７８を介して接続された各デバイスを制御する。そして各デバイスの制御を通じて上述した画像形成動作を実行する。
【００３３】
また制御部７０には、操作部入出力回路（Ｉ／Ｆ）７５を介して、操作部１１が接続されている。制御部７０は、操作部１１から信号を受けて、画像形成装置Ａの各種デバイスを動作させる。また制御部７０は、各種の情報を操作部１１の表示部１１ａに表示させる。
【００３４】
また制御部７０は、外部入出力回路（Ｉ／Ｆ）７６を有する。外部入出力回路（Ｉ／Ｆ）７６は、後述するように、装置本体３のＵＳＢコネクタ３９を介して、テンキー装置１０１やＩＣカードリーダ６１と接続される。
【００３５】
また制御部７０は、ネットワーク入出力回路（Ｉ／Ｆ）４１とモデム４２を有する。ネットワーク入出力回路（Ｉ／Ｆ）４１は、ネットワーク４３に接続し、情報の入出力を行う。また、モデム４２は公衆回線４４に接続し、ファクシミリを送受信可能なファクシミリ通信部として機能し、情報の入出力を行う。
【００３６】
＜ＩＣカードリーダの取り付け構成＞
次に、ＩＣカードリーダ６１のみを取り付ける際の構成について説明する。
【００３７】
図６は、ＩＣカードリーダ６１の周囲の拡大斜視図である。図７は、ＩＣカードリーダ６１の周囲の分解斜視図である。なお、図６、図７において、操作部１１は取り外されている。
【００３８】
図６、図７に示す様に、略Ｌ字形状の金属板材である固定台３１は、画像読取装置６の前面側の枠体６ｂと、装置本体３の枠体であるステー３ａの天面に対して、ねじ３２、３３によってそれぞれ固定される。固定台３１の垂直面３１ａには、不図示のＵＳＢポートを有するＵＳＢコネクタ３９が、コネクタ支持部材３７を介してねじ４０により固定されている。ＵＳＢコネクタ３９は、ケーブル３８を介して装置本体３の背面側にある制御基板である制御部７０に電気的に接続されている。
【００３９】
またステー３ａの天面には、載置台３４が複数のねじ３５によって固定される。載置台３４の上には、ＩＣカードリーダ６１が載置される。ＩＣカードリーダ６１が載置台３４に載置された後、ＩＣカードリーダ６１本体にケーブル６２を介して接続されたＵＳＢプラグ６３が装置本体３のＵＳＢコネクタ３９に接続される。これにより両者の電気的接続が行われる。なお、ケーブル６２に余長がある場合、固定台３１の垂直面３１ａの前方で余長処理が行われる。
【００４０】
また、ＩＣカードリーダ６１の設置後、固定台３１にはカバー部材３６がねじ９９により固定される。カバー部材３６は、樹脂製であり、操作部１１が載置される載置部３６ａと、ＩＣカードリーダ６１を覆うカバー部３６ｂを有する。
【００４１】
またカバー部３６ｂには、ＩＣカードリーダ６１が有する不図示のＬＥＤを視認可能にするために、不図示の複数の開口が形成されている。この複数の開口は、カバー部３６ｂに両面テープ等で接着された閉塞シート３６ｃによって閉塞されている。なお、閉塞シート３６ｃの厚みを調整することで、閉塞シート３６ｃによるＩＣカードリーダ６１の検出性能の低下を抑制することができる。
【００４２】
＜テンキーの取り付け構成＞
次に、テンキー装置１０１のみを取り付ける際の構成について説明する。
【００４３】
図８は、テンキー装置１０１の周囲の分解斜視図である。図９は、カバー部材３６とテンキー下カバー５３の分解斜視図である。図１０は、テンキー装置１０１と固定部材１０７の分解斜視図である。
【００４４】
図８に示す様に、テンキー装置１０１の取り付け時、まずは載置台３４に対して、二枚の金属板材が上下で溶接されて形成されたテンキー支持台５１がねじ５２により固定される。テンキー支持台５１は、その天面から下方に曲げられた曲げ部５１ｄと、天面開口部５１ｇと、前面開口部５１ｆを有する。なお、載置台３４のねじ穴３４ｂは、テンキー支持台５１が載置される載置面３４ａより一段下がった部分に形成されているため、長いサイズのねじ５２を使用する必要がある。
【００４５】
次に、ＩＣカードリーダ６１の取り付け時と同様に、カバー部材３６が固定台３１に対してねじ９９により固定される。次に、カバー部材３６とテンキー支持台５１に対してテンキー下カバー５３が固定され、テンキー下カバー５３にテンキー装置１０１が載置される。その後、後に詳しく説明するように、テンキー装置１０１が固定部材１０７を介して装置本体３に固定される。これによりテンキー装置１０１が装置本体３に固定される。最後に、縦パスカバー１０が不図示のねじによって装置本体３に取り付けられる。
【００４６】
またテンキー装置１０１を装置本体３に固定する過程で、テンキー装置１０１本体にケーブル１１１を介して接続されたＵＳＢプラグ１１２は、装置本体３のＵＳＢコネクタ３９に接続される。ＵＳＢプラグ１１２は、テンキー下カバー５３の天面開口部５３ｃ、カバー部材３６の天面開口部３６ｅ、テンキー支持台５１の天面開口部５１ｇを通って、装置本体３のＵＳＢコネクタ３９に接続される。これによりテンキー装置１０１と装置本体３の制御部７０との電気的接続が行われる。なお、ケーブル１１１に余長がある場合、固定台３１の垂直面３１ａの前方で余長処理が行われる。
【００４７】
図９に示す様に、テンキー下カバー５３をカバー部材３６とテンキー支持台５１に取り付ける時は、テンキー下カバー５３のねじ穴５３ａ、カバー部材３６のネジ穴３６ｆ、テンキー支持台５１のねじ穴５１ｃ（図８）にねじ５４を挿入して締結する。これによりテンキー下カバー５３が、カバー部材３６、テンキー支持台５１に固定される。
【００４８】
図１０に示す様に、テンキー装置１０１と固定部材１０７は、テンキー装置１０１の底面に形成されたねじ穴（不図示）と、固定部材１０７の天面に形成されたねじ穴１０７ａに、ねじ１０８が挿入されて締結されることで固定される。また固定部材１０７とテンキー下カバー５３の固定時、まず固定部材１０７の天面から下方に曲げられた曲げ部１０７ｃが、テンキー下カバー５３の開口部５３ｂ、カバー部材３６の天面開口部３６ｇを通り、テンキー支持台５１の曲げ部５１ｄに接触する。次に、固定部材１０７の曲げ部１０７ｃのねじ穴５１ｅとテンキー支持台５１の曲げ部５１ｄのねじ穴１０７ｄの位置が合わせられ、両者がねじ１０９よって固定される。この時、ねじ１０９は、カバー部材３６の前面開口部３６ｄ、テンキー支持台５１の前面開口部５１ｆを通る。このようにテンキー装置１０１が固定部材１０７を介して装置本体３に取り付けられる。
【００４９】
＜ＩＣカードリーダとハードキーの取り付け構成＞
次に、ＩＣカードリーダ６１とテンキー装置１０１の両方を取り付ける際の構成について説明する。
【００５０】
図１１は、カバー部材３６と収容部材１５３の分解斜視図である。図１２は、収容部材１５３とＩＣカードリーダ６１及びテンキー装置１０１の分解斜視図である。
【００５１】
図１１、図１２に示す様に、ＩＣカードリーダ６１とテンキー装置１０１は、収容部材１５３を介して、カバー部材３６に取り付けられる。つまり収容部材１５３は、装置本体３に取り付けられ、ＩＣカードリーダ６１とテンキー装置１０１を一体的に保持する保持部材である。なお、収容部材１５３をカバー部材３６に固定する際、テンキー支持台５１が上述した方法により載置台３４に対して固定されている。
【００５２】
収容部材１５３は、ＩＣカードリーダ６１を収容するリーダ収容部１５３ａ（第２保持部）と、テンキー装置１０１を収容するテンキー収容部１５３ｃ（第１保持部）と、ケーブル収容部１５３ｂ（凹部）を有する。ケーブル収容部１５３ｂは、テンキー収容部１５３ｃから凹んだ位置にあり、ＩＣカードリーダ６１のケーブル６２とテンキー装置１０１のケーブル１１３が複数回巻かれた状態で収容される。なお、本実施形態では、収容部材１５３は樹脂製であり、リーダ収容部１５３ａ、テンキー収容部１５３ｃ、ケーブル収容部１５３ｂを一体成形している。しかし本発明はこれに限られず、これらの部材を個別に製造し、ビスなどで一体的に固定する構成としてもよい。
【００５３】
テンキー収容部１５３ｃは、テンキー下カバー５３と同形状である。つまり収容部材１５３は、テンキー下カバー５３に対して、リーダ収容部１５３ａとケーブル収容部１５３ｂを一体的に組み合わせた部材であり、テンキー装置１０１は上述した方法と同様の方法でテンキー収容部１５３ｃに固定されて収容される。なお、テンキー収容部１５３ｃのねじ穴１５３ｃ１、開口部１５３ｃ２、天面開口部１５３ｃ３は、テンキー下カバー５３のねじ穴５３ａ、開口部５３ｂ、天面開口部５３ｃにそれぞれ相当する。
【００５４】
またＩＣカードリーダ６１は、リーダ収容部１５３ａに載置される。その後、ＩＣカードリーダ６１を覆うリーダカバー１６１が不図示のねじやスナップフィットによって収容部材１５３のリーダ収容部１５３ａに固定される。このようにＩＣカードリーダ６１は取り付けられる。
【００５５】
またＩＣカードリーダ６１やテンキー装置１０１と、装置本体３の制御部７０との電気的な接続は次のように行われる。即ち、ＩＣカードリーダ６１のＵＳＢプラグ６３は、テンキー装置１０１のＵＳＢコネクタ１１４のＵＳＢポート１１４ａに接続される。またテンキー装置１０１のＵＳＢプラグ１１２は、装置本体３のＵＳＢコネクタ３９の不図示のＵＳＢポートに接続される。これによりＩＣカードリーダ６１やテンキー装置１０１と装置本体３の制御部７０との電気的接続が行われる。
【００５６】
つまり図１３に示す様に、ＩＣカードリーダ６１は、テンキー装置１０１を介して、装置本体３との間で電気的接続が行われる。これによりＩＣカードリーダ６１のＩＣカードリーダ制御部９３によって処理されたＩＣカード情報は、ＵＳＢデバイス制御部９４、テンキー装置１０１のハブ制御部９２を介して、ＵＳＢ通信により装置本体３のＣＰＵ８１に読み出される。ここでＵＳＢデバイス制御部９４は、ＵＳＢ接続におけるＵＳＢ通信のデバイス制御を行う。ハブ制御部９２は、ＵＳＢ接続のハブ制御機能を提供するものであり、ＵＳＢ接続を拡張することができる。またテンキー装置１０１のキー制御部９０により処理された入力情報は、ＵＳＢデバイス制御部９１、ＵＳＢハブ制御部９２を介して、ＵＳＢ通信により装置本体３のＣＰＵ８１に読み出される。
【００５７】
このように本実施形態の構成によれば、ユーザの要望に応じて、テンキー装置１０１やＩＣカードリーダ６１を増設することができる。またテンキー装置１０１とＩＣカードリーダ６１の両方を設ける際に、操作部１１の直ぐ右側にテンキー装置１０１を配置することができる。従って、テンキー装置１０１の操作性を向上させることができる。
【符号の説明】
【００５８】
３…画像形成装置の装置本体
１１…操作部
６１…ＩＣカードリーダ
１０１…テンキー装置
１５３…収容部材（保持部材）
１５３ａ…リーダ収容部（第２保持部）
１５３ｂ…ケーブル収容部（凹部）
１５３ｃ…テンキー収容部（第１保持部）
Ａ…画像形成装置
【図１】
2020124846.tif 000003
【図２】
2020124846.tif 000004
【図３】
2020124846.tif 000005
【図４】
2020124846.tif 000006
【図５】
2020124846.tif 000007
【図６】
2020124846.tif 000008
【図７】
2020124846.tif 000009
【図８】
2020124846.tif 000010
【図９】
2020124846.tif 000011
【図１０】
2020124846.tif 000012
【図１１】
2020124846.tif 000013
【図１２】
2020124846.tif 000014
【図１３】
2020124846.tif 000015
【図１４】
2020124846.tif 000016